(57)【要約】【課題】  本考案は、リングを指にはめて装着する指飾りにおいて、指飾り全体の外観にリボン素材を使用することにより、従来よりも高いキュート感を演出することを課題とする。【解決手段】  指を通すリング部１と、このリング部１に固定された飾り部２とを備えた指飾りにおいて、リング部１は、芯となる金属と、この金属を覆うリボン素材とを備え、飾り部２も、リボン素材を用いて形成する。【選択図】  図１
0003177773.tif 000002
【実用新案登録請求の範囲】
【請求項１】
指を通すリング部と、このリング部に固定された飾り部とを備えた指飾りにおいて、
前記リング部は、芯となる金属と、この金属を覆うリボン素材とを備え、
前記飾り部も、リボン素材を用いて形成した、指飾り。
【請求項２】
前記リング部のリボン素材が前記芯となる金属の全体を覆い隠す、請求項１に記載の指飾り。
【請求項３】
前記リング部のリボン素材と前記飾り部とにより、前記リング部の芯となる金属の全体を覆い隠す、請求項１に記載の指飾り。
【請求項４】
前記芯となる金属は、外力を受けて変形し外力のないときには形状を維持する線状又は帯状の金属とした、請求項１乃至３のいずれか１項に記載の指飾り。
【請求項５】
前記金属に前記リボン素材を巻く前に、当該リボン素材の色に近い色の収縮性のある素材を前記金属に巻いた、請求項１乃至４のいずれか１項に記載の指飾り。
【請求項６】
前記金属として、前記リボン素材の色と近い色に塗装された金属を用いる、請求項１乃至４のいずれか１項に記載の指飾り。
【考案の詳細な説明】
【技術分野】
【０００１】
本考案は、指飾りに係り、特に、リングに指を通して装着する指飾りに関する。
【背景技術】
【０００２】
この種の従来例として特許文献１がある。特許文献１に開示された考案は、リングの正面に飾り体を取り付けると共に、リングの背面に副飾り体を取り付けることにより、装着者に喜びを与え、第三者には好印象を与えるものである。
【０００３】
ここで、飾り体と副飾り体とをリングに取り付けるにあたっては、熔着が想定されている。このことから、飾り体、副飾り体及びリングの全体は金属製であることが推測される。
【０００４】
しかし、金属製の指飾りは、見る者に気品を感じさせるが、素材の硬さからキュートさの演出には制約がある。一方、キュートさを出すために生地で形成した飾り体を金属製のリングに取り付けてみると、指飾り全体の素材の統一感に欠ける。また、金属製のリングは、装着者の肌に硬い感触を与え、装着者によっては金属アレルギーも問題となる。
【先行技術文献】
【特許文献】
【０００５】
【特許文献１】特開２００６−３４０９４８号公報
【考案の概要】
【考案が解決しようとする課題】
【０００６】
本考案は、リングを指にはめて装着する指飾りにおいて、指飾り全体の外観にリボン素材を使用することにより、従来よりも高いキュート感を演出することを課題とする。
【課題を解決するための手段】
【０００７】
上記課題を解決するため、本考案は、以下の構成を採る。
（１）指を通すリング部と、このリング部に固定された飾り部とを備えた指飾りにおいて、前記リング部は、芯となる金属と、この金属を覆うリボン素材とを備え、前記飾り部も、リボン素材を用いて形成した、指飾り。
（２）前記リング部のリボン素材が前記芯となる金属の全体を覆い隠す（１）に記載の指飾り。
（３）前記リング部のリボン素材と前記飾り部とにより、前記リング部の芯となる金属の全体を覆い隠す（１）に記載の指飾り。
（４）前記芯となる金属は、外力を受けて変形し外力のないときには形状を維持する線状又は帯状の金属とした、（１），（２）又は（３）に記載の指飾り。
【考案の効果】
【０００８】
本考案によれば、リングを指にはめて装着する指飾りにおいて、指飾り全体の外観にリボン素材を使用することにより、従来よりも高いキュート感を演出することができる。
【図面の簡単な説明】
【０００９】
【図１】本考案の一実施形態である指飾りの外観図であり、（ａ）は平面図、（ｂ）は正面図を示す。
【図２】本考案の一実施形態である指飾りの製造工程図。
【図３】本考案の一実施形態である指飾りの製造工程図。
【図４】本考案の一実施形態である指飾りの製造工程図。
【考案を実施するための形態】
【００１０】
以下、本考案の一実施形態を説明する。本実施形態における指飾りの外観は図１に示すとおりである。即ち、金属をリボン素材で覆ったリング部１と、リボン素材を用いて形成され、リング部１に固定された飾り部２とを備えている。
【００１１】
これを更に詳述すると、本実施形態において、リング部の芯となる金属は、外力を受けて変形し外力を受けなければ形状を維持する帯状の金属である。この金属を環状に変形することによりリングが形成される。このとき、リングの径は指のサイズに応じて自在に調整することができる。本実施形態において、この金属はステンレスである。リング部１を覆うリボン素材は、本実施形態において、リング部１の金属全体を覆っている。
【００１２】
一方、飾り部２は、リング部1を帯状に伸ばしたとき、当該帯の長手方向のおよそ中間に固定されている。飾り部２は、主としてリボン素材により形成され、本実施形態では蝶々形に形成されている。飾り部２を構成するリボン素材には、適宜材質の異なるビーズ等によるデコレーションが施される。
【００１３】
リング部1と飾り部２の外観をリボン素材により統一することにより、従来よりも高いキュート感を演出することができる。
【００１４】
次に、本考案の指飾りを製造する方法の一例を説明する。リング部1は、図２に示す手順で製作する。所定の長さの帯状の金属３の長手方向と、その約２倍の長さのリボン素材４の長手方向とを揃え、長手方向に沿って金属３にリボン素材４を巻き付け、金属３の全体をリボン素材４で覆う。このため、リボン素材４の幅は、帯状の金属３の幅よりも幾分広いものとする。リボン素材４を巻く際、金属３との間に接着剤を塗布し、金属３とリボン素材４とを接着する。そして、リボン素材４で覆った金属３を変形し、環状のリング部１とする。このようにリング部１を製作すると、リボン素材４を金属３に巻き付ける回数を最小限に抑えることができ、また、必要なリボン素材４の長さも最小限に抑えることができる。また、リボン素材４の端部を帯状の金属３の中間に配置すると、リボン素材４の一端部と他端部との継ぎ目を飾り部２によって隠すことができる。
【００１５】
また、飾り部２は、図３に示す手順で製作する。リボン５を輪にして中央部を摘むと蝶々形となり、当該中央部を縫い止めると、蝶々形のリボン５となる。符号６は縫い目である。
【００１６】
そして、リング部１と飾り部２との結合は、図４に示す手順で行われる。まず、リング部１の帯の中央部（リボン素材４の繋ぎ目）と、蝶々形のリボン５の縫い目６とを合わせ、リボン５をリング部１に接着する。次に、縫い目６を隠すために、接着剤を塗布したリボン部材７をリング部１の裏から回し、縫い目６を覆うように巻いて、リング部１の裏まで周回させる。これにより、縫い目６を隠すと共に、リング部１と飾り部２との接着を強化して、指飾りが出来上がる。
【００１７】
上記実施形態の変形例として、リング部１の芯となる金属は、角を面取りして安全性を高めてもよい。また、当該金属がリボン素材から透けて見える事態を軽減するため、リボン素材を巻く前に、当該金属にフローラテープを巻いてもよい。フローラテープは、収縮性のある紙に蝋をコーティングしたものである。金属に巻くリボン素材が淡い色ならば、白色等の淡い色のフローラテープを巻くとよい。一方、リボン素材が濃い色ならば、黒や茶等の濃い色のフローラテープを巻くとよい。
【００１８】
ここで、本考案の範囲は、実用新案登録請求の範囲に記載した範囲であり、上記の実施形態に限定されるものではない。例えば、飾り部２のデザインは問わず、指飾りの製造方法も上記の例に限らない。また、リング部１の芯をなす金属の種類も限定されない。金属を巻くリボン素材の色と同色に塗装された金属を用いてもよい。
【符号の説明】
【００１９】
１リング部
２飾り部
３リング部の金属（芯）
４リング部のリボン素材
５飾り部のリボン（蝶々形のリボン）
６飾り部のリボンの縫い目
７縫い目を隠すリボン部材
【図１】
0003177773.tif 000003
【図２】
0003177773.tif 000004
【図３】
0003177773.tif 000005
【図４】
0003177773.tif 000006